(57)【特許請求の範囲】
【請求項１】
上面に便座が載置されている便器本体枠が脚枠に上下取付け位置調節可能かつ傾き調節可能に取り付けられ、該便座の高さと傾きとが変更自在な簡易便器であって、
該便器本体枠の左右側板の内側には、該脚枠とは別体の横長幅狭形状の位置調節ブロックが上下取付け位置変更可能に軸着され、所定の上下取付け位置で上下反転自在とされていると共に、該左右側板の内側において該位置調節ブロックと該左右側板とを係合させることにより該位置調節ブロックが該左右側板に対して回転不能に固定自在とされており、
また、該位置調節ブロックは、上下の第１長側縁と第２長側縁とが互いに平行とならない形状とされており、一方の第１長側縁が下側となる向きで該位置調節ブロックが該左右側板に固定された場合には、該第１長側縁が上記便座の座面と略平行となり、他方の第２長側縁が下側となる向きで該位置調節ブロックが該左右側板に固定された場合には、該第２長側縁が該座面に対して前方へ向けて上方傾斜し、
一方、上記脚枠は、底板と、該底板に立設されている脚板とを備え、該脚板には略水平な当接上縁が設定されており、
該位置調節ブロックが所定の上下取付け位置で該左右側板の内側に固定され、さらに固定された該位置調節ブロックの下側の長側縁に前記脚板の当接上縁が当接されることによって、該脚枠の該便器本体枠に対する上下取付け位置が決定され、該便器本体枠の便座が所定高さに設定されると共に、
該便座を略水平状態とする場合は、
上記位置調節ブロックは、該第１長側縁が下側となる向きで固定され、
該便座を前傾状態とする場合は、
該位置調節ブロックは、該第２長側縁が下側となる向きで固定される
ことを特徴とする簡易便器。
【請求項２】
該便器本体枠の左右側板の内側には、該便座の座面と略平行に並べられた前後一対の嵌合孔が縦方向に複数列設され、かつ、各前後一対の嵌合孔の中央には軸孔が設けられ、
一方、該位置調節ブロックには軸部材が貫設されており、該軸部材が該左右側板の内側で縦方向に並ぶ該軸孔から選択されたいずれかの軸孔に接続されることにより該位置調節ブロックが該左右側板に対して該軸部材を回動軸として軸着され、
さらに、該左右側板に軸着された該位置調節ブロックにおける該左右側板の該嵌合孔に対向する位置には、前後一対の嵌合突起が設けられ、該前後一対の嵌合突起が、該選択されたいずれかの軸孔と並ぶ前後一対の嵌合孔にそれぞれ嵌着されることによって、該左右側板と該位置調節ブロックとが係合し、該位置調節ブロックが該左右側板に対して回転不能に固定される請求項１記載の簡易便器。
【請求項３】
該便器本体枠の左右側板には前後一対の固定用ボルト孔が設けられており、
一方、脚枠の脚板には、前後一対の縦方向の摺動スリットがそれぞれ設けられており、
該脚枠の上下取付け位置が決定した状態で、該便器本体枠の固定用ボルト孔と該脚枠の摺動スリットとが連通し、該左右側板の内側から該摺動スリットを介して固定用ボルトを該固定用ボルト孔に螺着することによって該便器本体枠と該脚枠とが固定される請求項１又は請求項２記載の簡易便器。
【発明の詳細な説明】
【技術分野】
【０００１】
本発明は、便座の高さと傾きとが変更自在な簡易便器に関するものである。
【背景技術】
【０００２】
便座の高さを調節することができる簡易便器は、既に提案されている（特許文献１）。この特許文献１に開示されている簡易便器は、位置合わせ具を使用することにより容易に高さ調整作業を行うことができる。
また、使用者が排泄し易い姿勢をとることができるように、便座を前傾自在とした簡易便器も既に提案されている（特許文献２，３）。これら特許文献２，３に開示されている簡易便器は、便座を傾動させて座面の傾きを容易に変更することができる。
【先行技術文献】
【特許文献】
【０００３】
【特許文献１】特開２００６−８７７２２号公報
【特許文献２】特開２００５−１１１１０９号公報
【特許文献３】特開２００６−８７４８５号公報
【発明の概要】
【発明が解決しようとする課題】
【０００４】
しかしながら、上記した従来構成において便座の高さと傾きとが変更自在な簡易便器を提供するには、上記した高さ調整機構と傾き調整機構とを別々に採用する必要があるが、このような簡易便器において該便座の高さと傾きとを変更するには、調節作業が繁雑となって大変面倒であるという問題がある。
【課題を解決するための手段】
【０００５】
そこで本発明は、上記問題を解決すべく、上面に便座が載置されている便器本体枠が脚枠に上下取付け位置調節可能かつ傾き調節可能に取り付けられ、該便座の高さと傾きとが変更自在な簡易便器であって、該便器本体枠の左右側板の内側には、該脚枠とは別体の横長幅狭形状の位置調節ブロックが上下取付け位置変更可能に軸着され、所定の上下取付け位置で上下反転自在とされていると共に、該左右側板の内側において該位置調節ブロックと該左右側板とを係合させることにより該位置調節ブロックが該左右側板に対して回転不能に固定自在とされており、また、該位置調節ブロックは、上下の第１長側縁と第２長側縁とが互いに平行とならない形状とされており、一方の第１長側縁が下側となる向きで該位置調節ブロックが該左右側板に固定された場合には、該第１長側縁が上記便座の座面と略平行となり、他方の第２長側縁が下側となる向きで該位置調節ブロックが該左右側板に固定された場合には、該第２長側縁が該座面に対して前方へ向けて上方傾斜し、一方、上記脚枠は、底板と、該底板に立設されている脚板とを備え、該脚板には略水平な当接上縁が設定されており、該位置調節ブロックが所定の上下取付け位置で該左右側板の内側に固定され、さらに固定された該位置調節ブロックの下側の長側縁に前記脚板の当接上縁が当接されることによって、該脚枠の該便器本体枠に対する上下取付け位置が決定され、該便器本体枠の便座が所定高さに設定されると共に、該便座を略水平状態とする場合は、上記位置調節ブロックは、該第１長側縁が下側となる向きで固定され、該便座を前傾状態とする場合は、該位置調節ブロックは、該第２長側縁が下側となる向きで固定されることを特徴とする簡易便器を提供するものである。
【０００６】
上記構成において、位置調節ブロックの上下取付け位置を適宜変更すれば、便器本体枠に対する脚枠の上下取付け位置が調節されて便座の高さが変更可能となる。また、該位置調節ブロックを左右側板に固定する際に該位置調節ブロックの向きを適宜選択すれば、該脚枠に対する該便器本体枠の傾きが変更されて便座の座面の傾きが略水平状態または該水平状態よりも前傾した前傾状態となる。したがって、本発明の簡易便器は、高さ調節する際も傾き調節する際も、該位置調節ブロックのみを適宜操作すればよいため、作業性がより一層向上する。
【０００７】
また、該便器本体枠の左右側板の内側には、該便座の座面と略平行に並べられた前後一対の嵌合孔が縦方向に複数列設され、かつ、各前後一対の嵌合孔の中央には軸孔が設けられ、一方、該位置調節ブロックには軸部材が貫設されており、該軸部材が該左右側板の内側で縦方向に並ぶ該軸孔から選択されたいずれかの軸孔に接続されることにより該位置調節ブロックが該左右側板に対して該軸部材を回動軸として軸着され、さらに、該左右側板に軸着された該位置調節ブロックにおける該左右側板の該嵌合孔に対向する位置には、前後一対の嵌合突起が設けられ、該前後一対の嵌合突起が、該選択されたいずれかの軸孔と並ぶ前後一対の嵌合孔にそれぞれ嵌着されることによって、該左右側板と該位置調節ブロックとが係合し、該位置調節ブロックが該左右側板に対して回転不能に固定される構成が望ましい。
【０００８】
上記構成とすることにより、簡易構造で該位置調節ブロックを該左右側板に対して回転不能に固定することができる。
【０００９】
また、該便器本体枠の左右側板には前後一対の固定用ボルト孔が設けられており、一方、脚枠の脚板には、前後一対の縦方向の摺動スリットがそれぞれ設けられており、該脚枠の上下取付け位置が決定した状態で、該便器本体枠の固定用ボルト孔と該脚枠の摺動スリットとが連通し、該左右側板の内側から該摺動スリットを介して固定用ボルトを該固定用ボルト孔に螺着することによって該便器本体枠と該脚枠とが固定される構成が望ましい。
【００１０】
上記構成とすることにより、確実に該便器本体枠と該脚枠とを固定することができ、安全に使用できる簡易便器となる。
【発明の効果】
【００１１】
本発明は、便座の高さ調節作業と傾き調節作業とを簡単に行うことができる。
【図面の簡単な説明】
【００１２】
【図１】簡易便器の外観斜視図
【図２】左右側板に脚枠を取り付けた状態を示す説明斜視図
【図３】脚枠の取付構造を分解して示す説明図であり、ａ）は説明側面図、ｂ）は説明正面図である。
【図４】便座が略水平な状態の簡易便器を示す側面図
【図５】ａ）は便座が前傾した状態の簡易便器を示す側面図、ｂ）は位置調節ブロックの下縁の方向を説明する説明図
【図６】図４のＡ−Ａ線断面図
【発明を実施するための形態】
【００１３】
本発明の実施例を添付図面に従って説明する。
図１等に示すように、本実施例の簡易便器１は、前板２と左右側板３と背板４とを有する木製の便器本体枠５と、図２に示すように該便器本体枠５の左右側板３の内側に多段階（例えば５段階）で上下取付け位置調節可能に取り付けられる左右一対の脚枠６と、該便器本体枠５の上部開口部に取り付けられる木製の座枠７と、該座枠７内に挿入懸架される便バケツ８と、該座枠７の後端部に跳ね上げ可能に軸着されて該便器本体枠５に載置される便座９と、該便座９上において該便器本体枠５の後部上端に跳ね上げ可能に枢着される便蓋１０と、該便器本体枠５の左右側板３に取り付けられる左右一対の肘掛け枠１１と、該便器本体枠５の左右側板３の後端上部から立設される背もたれ枠１２とからなる。
【００１４】
図３等に示すように、該便器本体枠５の左右側板３の内側には、前記便座９の座面Ｌと略平行に並べられた前後一対の嵌合孔としてのダボ孔１３，１３が設けられており、図３に示すように該前後一対のダボ孔１３，１３が縦方向に複数（例えば５列）列設されている。
また、該前後一対のダボ孔１３，１３の中央には、軸孔としてのボルト孔１４が設けられている。該ボルト孔１４は、予め設けられた有底孔内にインサートナットが埋込固定されることにより構成されている。
さらに、図３に示すように該左右側板３の前部及び後部には、前後一対の固定用ボルト孔１５，１５が設けられている。
【００１５】
該脚枠６は、略水平な床面に接する底板１７と、該底板１７に立設されている脚板１８とを有している。そして該脚板１８は、前後一対の脚柱１８Ａ，１８Ａと、該前後一対の脚柱１８Ａ，１８Ａ間に差し渡された連結部材２１とからなる。さらに、該連結部材２１の上縁は、該脚枠６が略水平床面に置かれた状態で略水平となるように設定された当接上縁２１Ａとされている。
なお、該底板１７の後端部には、該簡易便器１の移動を容易とする車輪が取り付けられてもよい。
【００１６】
また、該前後一対の脚柱１８Ａ，１８Ａの各中央部には、縦方向に長い摺動スリット１９が開口している。また、前側の脚柱１８Ａの内側の中央部には複数個（例えば５個）の円形凹部２０がそれぞれ縦列して凹設され、後側の脚柱１８Ａの内側の中央部には、前側の脚柱１８Ａの円形凹部２０の個数に対して２倍の個数（例えば１０個）の円形凹部２０がそれぞれ縦列して凹設されている。
【００１７】
また、該便蓋１０は前後に二つ折り可能とされており、該便蓋１０を跳ね上げた状態で該背もたれ枠１２の下部を通り抜けて折り畳み可能とされている。また、該便蓋１０の上面にはクッション部材２６が取り付けられており、該便蓋１０は座部として兼用することができる。
【００１８】
該肘掛け枠１１は、前後一対の肘掛け支板２７が垂設されている下側短肘掛け２８と、該下側短肘掛け２８の上に跳ね上げ可能に取り付けられる上側長肘掛け２９とからなる。該前後一対の肘掛け支板２７の中央部には摺動スリット３０がそれぞれ設けられており、一方、図４に示すように該便器本体枠５の左右側板３には３個のボルト孔３１が縦列して設けられている。
そして、該左右側板３の３個のボルト孔３１のうち１個のボルト孔３１を選択すると共に、該肘掛け枠１１を該便器本体枠５に対して上下に摺動させて所望な高さに調節した後、該肘掛け支板２７の摺動スリット３０を介して固定ボルト３２を該選択したボルト孔３１に螺着することによって、該肘掛け枠１１は３段階に高さ調節可能とされている。
【００１９】
図４に示すように該背もたれ枠１２は、左右一対の背もたれ支柱３３と、該左右一対の背もたれ支柱３３の間に差し渡されるクッション性を有する背もたれ部材３４とからなる。該背もたれ支柱３３の上部には２個のボルト挿通孔３５が縦列して設けられており、該背もたれ部材３４の左右側面には４個のボルト孔３６が縦列して設けられている。
そして、該背もたれ部材３４の４個のボルト孔３６のうち２個のボルト孔３６を選択し、該背もたれ部材３４を該背もたれ支柱３３に対して所望な高さに調節した後、該背もたれ支柱３３のボルト挿通孔３５を介して固定ボルト３７を該選択したボルト孔３６に螺着することによって、該背もたれ部材３４は２段階に高さ調節可能とされている。
【００２０】
本実施例では、図２，３に示すように、該脚枠６とは別体であり、側面視横長幅狭形状の位置調節ブロック２４が準備される。
該位置調節ブロック２４には、図２等に示すように軸部材としてのノブボルト４３が挿通ボルト孔４２を介して貫設されている。
そして、左右側板３に縦列して設けられているボルト孔１４のいずれかのボルト孔１４を選択し、選択した該ボルト孔１４に該ノブボルト４３を螺着すると、該位置調節ブロック２４は上下取付け位置変更可能に左右側板３の内側に軸着され、該ノブボルト４３を回動軸として上下反転可能となる。
【００２１】
また、該位置調節ブロック２４の内側であって、該左右側板３に軸着された状態で上記ダボ孔１３，１３に対向する位置には、該ダボ孔１３，１３の前後間隔と同じ距離だけ離間した前後一対の嵌合突起としてのダボ４１，４１が設けられている。
そして、該左右側板３に軸着された状態の位置調節ブロック２４にあっては、該前後一対のダボ４１，４１を、該選択したボルト孔１４と並ぶ前後一対のダボ孔１３，１３にそれぞれ嵌着し、かつ該ノブボルト４３で緊締すると、該位置調節ブロック２４と該左右側板３とが係合し、該位置調節ブロック２４が該左右側板３に対して回転不能に固定される（図３ｂ参照）。
【００２２】
ここで、該位置調節ブロック２４において、図２等に示すように上下の長側縁２４Ａ，２４Ｂが平行にならない形状とされており、具体的には、該位置調節ブロック２４がノブボルト４３を中心に上下反転され、一方の第１長側縁２４Ａが下側となる向きで該位置調節ブロック２４が固定された場合は該第１長側縁２４Ａが上記便座９の座面Ｌと略平行となり、これに対して他方の第２長側縁２４Ｂが下側となる向きで該位置調節ブロック２４が固定された場合は該第２長側縁２４Ｂが該座面Ｌに対して前方へ向けて上方傾斜する（図５ｂ参照）。
【００２３】
上記の簡易便器１の便座９の高さを調節する場合には、まず、該左右側板３の内側で縦列に配置されている前後一対のダボ孔１３，１３のうち、いずれかの前後一対のダボ孔１３，１３を選択し、図６に示すように該選択した前後一対のダボ孔１３，１３の中央にあるボルト孔１４に該ノブボルト４３を螺着すると共に、該位置調節ブロック２４の前後一対のダボ４１，４１を該ダボ孔１３，１３にそれぞれ嵌着して、該左右側板３の所定高さ位置に該位置調節ブロック２４を固定する。
【００２４】
次に、図６に示すように該位置調節ブロック２４の下側の長側縁２４Ａ，２４Ｂに該脚枠６の連結部材２１の当接上縁２１Ａを当接させて、該脚枠６の該便器本体枠５に対する上下取付け位置を決定する。そして、該脚枠６の上下取付け位置が決定した状態において、該脚枠６の摺動スリット１９を介して内側から固定用ノブボルト３８を該便器本体枠５の前後一対の固定用ボルト孔１５に螺着し、該脚枠６と該便器本体枠５とを固定する。
なお、該固定用ノブボルト３８を螺着する際には、該固定用ノブボルト３８のノブ部に設けられた円形凸部３９が該前後一対の脚柱１８Ａの各円形凹部２０に嵌合する。このように、固定用ノブボルト３８の円形凸部３９と脚柱１８Ａの円形凹部２０とが嵌合すると、該固定用ノブボルト３８は螺着した状態でぐらつかない。
【００２５】
また、上記簡易便器１は、便座９の傾きを変更することができる。
該便座９を略水平状態として使用する場合には、上記位置調節ブロック２４を固定する際に、該位置調節ブロック２４を適宜上下反転させて、図４に示すように一方の第１長側縁２４Ａが下側となる向きで該位置調節ブロック２４を固定する。この状態で該位置調節ブロック２４の第１長側縁２４Ａに上記連結部材２１の当接上縁２１Ａを当接させ、該便器本体枠５と該脚枠６とを固定すると、該便座９の座面Ｌが略水平となる。
【００２６】
一方、該便座９を前傾状態として使用する場合には、位置調節ブロック２４を固定する際に、上記位置調節ブロック２４を適宜上下反転させて、図５に示すように他方の第２長側縁２４Ｂが下縁となる向きとする。そして、該位置調節ブロック２４の下縁に該連結部材２１の当接上縁２１Ａを当接させ、該便器本体枠５と該脚枠６とを固定する。そうすると、該脚枠６の上下取付け位置が決定すると共に、便座９の座面Ｌは、便座９を略水平状態（図４参照）としたときに比べて前傾した状態となる。
なお、図５ａに示す便座９の座面Ｌが前傾した状態においては、該脚枠６の上下取付け位置が決定すると、便器本体枠５が前傾姿勢となるため、後側の脚柱１８Ａにおいては、前側の固定用ノブボルト３８が配置される円形凹部２０よりも一段だけ高い位置にある円形凹部２０に固定用ノブボルト３８の円形凸部３９を嵌合させることとなる。
【００２７】
上記簡易便器１は、位置調節ブロック２４の上下取付け位置を決定することにより便器本体枠５の高さ調節ができるため、容易に便座９の高さ調節を行うことができる。また、該位置調節ブロック２４の向きを変更するだけで、該便器本体枠５を前傾姿勢とすることができるため、容易に便座９の傾きを調節することができる。
【００２８】
本発明の実施例を説明したが、本発明の範囲はこれらに限定されるものではなく、請求項に記載された範囲内において目的に応じて変更・変形することが可能である。例えば、上記実施例は脚板１８における連結部材２１の上縁（当接上縁）と位置調節ブロック２４の下縁（長側縁）とを当接させる構成であるが、脚柱１８Ａの水平な上縁と位置調節ブロック２４の下縁とを当接させて脚枠６の便器本体枠５に対する上下取付け位置を決定する構成としてもよい。
【符号の説明】
【００２９】
１              簡易便器
３              左右側板
５              便器本体枠
６              脚枠
９              便座
１３            ダボ孔（嵌合孔）
１４            ボルト孔（軸孔）
１５            固定用ボルト孔
１７            底板
１８            脚板
１９            摺動スリット
２１            連結部材
２１Ａ          当接上縁
２４            位置調節ブロック
２４Ａ          第１長側縁
２４Ｂ          第２長側縁
３８            固定用ノブボルト
４１            ダボ（嵌合突起）
４３            ノブボルト（軸部材）
Ｌ              座面
【図１】
0005383583.tif 000002
【図２】
0005383583.tif 000003
【図３】
0005383583.tif 000004
【図４】
0005383583.tif 000005
【図５】
0005383583.tif 000006
【図６】
0005383583.tif 000007